(57)【要約】【課題】各種の使い捨て部品のセッティングをより容易に行うことが可能な放射性薬剤投与装置を提供する。【解決手段】放射性薬剤投与装置１００は、放射性薬剤６７が収容された遮蔽容器６６が配置される容器配置部６４と、放射性薬剤６７の投与流路を形成する輸液チューブ３１と、投与流路に設けられる流路切換部材３３と、遮蔽容器６６から放射性薬剤６７を抜き取り放射性薬剤６７を被験者に投与するためのシリンジ（例えば、第２シリンジ３５）と、シリンジのプランジャ部３７を駆動するシリンジ駆動部５５と、容器配置部６４およびシリンジ駆動部５５が設けられた装置ハウジング５０と、輸液チューブ３１を保持するチューブ保持部１３、流路切換部材３３を保持する切換部材保持部１４、およびシリンジを保持するシリンジ保持部１５を有する脱着カセット１０と、を備え、脱着カセット１０が装置ハウジング５０に対して着脱可能に装着される。【選択図】図７
2018191703.tif 000002
【特許請求の範囲】
【請求項１】
放射性薬剤が収容された遮蔽容器が配置される容器配置部と、
前記遮蔽容器と連通して前記放射性薬剤の投与流路を形成する輸液チューブと、
前記投与流路に設けられる流路切換部材と、
前記遮蔽容器から前記投与流路を通じて前記放射性薬剤を抜き取り、かつ抜き取られた前記放射性薬剤を前記投与流路を通じて被験者に投与するための１または複数のシリンジと、
前記シリンジのプランジャ部を駆動するシリンジ駆動部と、
前記容器配置部および前記シリンジ駆動部が設けられた装置ハウジングと、
前記輸液チューブを保持するチューブ保持部、前記流路切換部材を保持する切換部材保持部、および前記シリンジを保持するシリンジ保持部を有する脱着カセットと、
を備え、
前記脱着カセットが前記装置ハウジングに対して着脱可能に装着される放射性薬剤投与装置。
【請求項２】
前記遮蔽容器に差し込まれて前記放射性薬剤を通過させる抽出針と、
前記抽出針を前記遮蔽容器に対して近づく方向及びその反対方向に駆動する針駆動部と、を更に備え、
前記脱着カセットは、前記抽出針が着脱可能に装着されて前記針駆動部により駆動される針ベースを備える請求項１に記載の放射性薬剤投与装置。
【請求項３】
前記脱着カセットは、前記シリンジ保持部が設けられた主基板と、前記針ベースが設けられた副基板と、を備え、前記副基板は前記主基板に対して固定されており、
前記主基板と前記副基板とが互いに平行に配置され、前記主基板及び前記副基板の法線方向において前記主基板が前記副基板よりも前方に配置され、前記法線方向に視たときに前記主基板と前記副基板とが互いに異なる領域に配置されている請求項２に記載の放射性薬剤投与装置。
【請求項４】
前記脱着カセットは、前記シリンジ保持部に保持されたシリンジのプランジャ部と対応する位置に、前記プランジャ部の移動方向に延在する開口を有し、
前記脱着カセットが前記装置ハウジングに装着された状態で、前記シリンジ駆動部の少なくとも一部分が、前記開口を介して、前記主基板において前記シリンジが装着される側の面である第１主面よりも前面側に突出する請求項３に記載の放射性薬剤投与装置。
【請求項５】
前記主基板の前記第１主面には、一対の取手部が設けられており、前記一対の取手部が、前記開口を間に挟む両側にそれぞれ配置されている請求項４に記載の放射性薬剤投与装置。
【請求項６】
前記取手部は、前記主基板と異なる材料で構成されており、かつ前記主基板から取り外し可能である請求項５に記載の放射性薬剤投与装置。
【請求項７】
放射性薬剤が収容された遮蔽容器と連通して前記放射性薬剤の投与流路を形成する輸液チューブを保持するチューブ保持部と、
前記投与流路に設けられる流路切換部材を保持する切換部材保持部と、
前記遮蔽容器から前記投与流路を通じて前記放射性薬剤を抜き取り、かつ抜き取られた前記放射性薬剤を前記投与流路を通じて被験者に投与するための１または複数のシリンジを保持するシリンジ保持部と、
を有し、
放射性薬剤投与装置の装置ハウジングに対して着脱可能に装着される脱着カセット。
【発明の詳細な説明】
【技術分野】
【０００１】
本発明は、放射性薬剤投与装置および脱着カセットに関する。
【背景技術】
【０００２】
放射性薬剤投与装置は、放射性薬剤が収容された遮蔽容器が配置される容器配置部、遮蔽容器と連通して放射性薬剤の投与流路を形成する輸液チューブ、投与流路に設けられる流路切換部材、及び、遮蔽容器から放射性薬剤を抜き取って該放射性薬剤を被験者に投与するためのシリンジ等を備えて構成される（特許文献１、２等）。
【先行技術文献】
【特許文献】
【０００３】
【特許文献１】特開２００６−１５０５５号公報
【特許文献２】特開２００６−１７６６０号公報
【発明の概要】
【発明が解決しようとする課題】
【０００４】
ところで、輸液チューブ、流路切換部材及びシリンジ等は、放射性薬剤が投与される被験者ごとに廃棄される使い捨て部品である。このため、放射性薬剤投与装置のオペレータは、被験者ごとに各種の使い捨て部品を放射性薬剤投与装置に取り付ける必要がある。また、使用後は、次の被験者のため使用済みの使い捨て部品を放射性薬剤投与装置から取り外す必要があり、オペレータへの放射線被曝も問題となる。
よって、各種の使い捨て部品のセッティングと取り外しをより容易に行うことを可能とする技術が望まれている。
【０００５】
本発明は、上記の課題に鑑みなされたものであり、各種の使い捨て部品のセッティングと取り外しをより容易に行うことが可能な放射性薬剤投与装置及び脱着カセットを提供するものである。
【課題を解決するための手段】
【０００６】
本発明によれば、放射性薬剤が収容された遮蔽容器が配置される容器配置部と、
前記遮蔽容器と連通して前記放射性薬剤の投与流路を形成する輸液チューブと、
前記投与流路に設けられる流路切換部材と、
前記遮蔽容器から前記投与流路を通じて前記放射性薬剤を抜き取り、かつ抜き取られた前記放射性薬剤を前記投与流路を通じて被験者に投与するための１または複数のシリンジと、
前記シリンジのプランジャ部を駆動するシリンジ駆動部と、
前記容器配置部および前記シリンジ駆動部が設けられた装置ハウジングと、
前記輸液チューブを保持するチューブ保持部、前記流路切換部材を保持する切換部材保持部、および前記シリンジを保持するシリンジ保持部を有する脱着カセットと、
を備え、
前記脱着カセットが前記装置ハウジングに対して着脱可能に装着される放射性薬剤投与装置が提供される。
【０００７】
また、本発明によれば、放射性薬剤が収容された遮蔽容器と連通して前記放射性薬剤の投与流路を形成する輸液チューブを保持するチューブ保持部と、
前記投与流路に設けられる流路切換部材を保持する切換部材保持部と、
前記遮蔽容器から前記投与流路を通じて前記放射性薬剤を抜き取り、かつ抜き取られた前記放射性薬剤を前記投与流路を通じて被験者に投与するための１または複数のシリンジを保持するシリンジ保持部と、
を有し、
放射性薬剤投与装置の装置ハウジングに対して着脱可能に装着される脱着カセットが提供される。
【発明の効果】
【０００８】
本発明によれば、各種の使い捨て部品のセッティングと取り外しを容易に行うことができる。
【図面の簡単な説明】
【０００９】
【図１】実施形態に係る脱着カセットの正面図である。
【図２】実施形態に係る脱着カセットの背面図である。
【図３】実施形態に係る脱着カセットの平面図である。
【図４】実施形態に係る脱着カセットに各種器具を取り付けた状態を示す正面図である。
【図５】図５（ａ）及び図５（ｂ）は実施形態に係る脱着カセットの針ベースによって抽出針を保持する機構を説明するための正面図である。
【図６】実施形態に係る放射性薬剤投与装置の装置ハウジングの正面図である。
【図７】実施形態に係る放射性薬剤投与装置の装置ハウジングに対して脱着カセット及び遮蔽容器が装着された状態を示す正面図である。
【図８】実施形態に係る放射性薬剤投与装置の装置ハウジングに対して脱着カセット及び遮蔽容器が装着された状態を示す正面断面図である。
【図９】図９（ａ）及び図９（ｂ）装置ハウジングからの脱着カセットの脱落を規制する機構を示す図であり、このうち図９（ａ）は脱着カセット側の構造を示す背面側からの斜視図、図９（ｂ）は装置ハウジング側の構造を示す正面側からの斜視図である。
【図１０】図１０（ａ）及び図１０（ｂ）は脱着カセット側と装置ハウジング側との流路切換機構の接続構造を示す図であり、このうち図１０（ａ）は脱着カセット側の構造を示す背面側からの斜視図、図１０（ｂ）は装置ハウジング側の構造を示す正面側からの斜視図である。
【図１１】図１１（ａ）及び図１１（ｂ）は脱着カセット側と装置ハウジング側との針駆動機構の接続構造を示す図であり、このうち図１１（ａ）は脱着カセット側の構造を示す背面図、図１０（ｂ）は装置ハウジング側の構造を示す正面図である。
【図１２】放射性薬剤を貯留するシリンジを覆うシリンジ遮蔽カバーの軸支機構を説明するための右側面図である。
【図１３】実施形態に係る放射性薬剤投与装置の装置ハウジングに対して脱着カセット及び遮蔽容器が装着された状態を示す正面図であり、遮蔽容器に抽出針が差し込まれた状態を示す。
【図１４】図１４（ａ）及び図１４（ｂ）は使用済みの脱着カセットを収容するシールド容器を示す図であり、このうち図１４（ａ）は平面図、図１４（ｂ）は正面図である。
【発明を実施するための形態】
【００１０】
以下、本発明の実施形態について、図面を用いて説明する。なお、すべての図面において、同様の構成要素には同一の符号を付し、適宜に説明を省略する。
図１から図４の各々は、脱着カセット１０を示す図である。このうち、図１から図３は、脱着カセット１０に対して各種の使い捨て部品が未装着の状態を示している。また、図４は、脱着カセット１０に対して各種の使い捨て部品が装着された状態を示している。
また、図１、図４から図８及び図１３における手前側を前方又は前面側、その反対側を後方又は背面側と称することがある。
【００１１】
図１から図１３のいずれか（特に、図１、図４、図６、図７のいずれか）に示すように、本実施形態に係る放射性薬剤投与装置１００は、放射性薬剤６７が収容された遮蔽容器６６が配置される容器配置部６４と、遮蔽容器６６と連通して放射性薬剤６７の投与流路を形成する輸液チューブ３１と、投与流路に設けられる流路切換部材３３と、遮蔽容器６６から投与流路を通じて放射性薬剤６７を抜き取りかつ抜き取られた放射性薬剤６７を投与流路を通じて被験者に投与するための１または複数のシリンジ（例えば、第２シリンジ３５）と、シリンジのプランジャ部３７を駆動するシリンジ駆動部５５と、容器配置部６４およびシリンジ駆動部５５が設けられた装置ハウジング５０と、輸液チューブ３１を保持するチューブ保持部１３、流路切換部材３３を保持する切換部材保持部１４、およびシリンジを保持するシリンジ保持部（第２シリンジ保持部１５ｂ）を有する脱着カセット１０と、を備え、脱着カセット１０が装置ハウジング５０に対して着脱可能に装着される。より詳細には、遮蔽容器６６は、図７等に示すように、放射性薬剤６７を収容したバイアル瓶７４を格納することにより、放射性薬剤６７を収容した状態となる。流路切換部材３３は、典型的には三方活栓であり、本実施形態の場合も三方活栓である。
このような放射性薬剤投与装置１００によれば、脱着カセット１０によって輸液チューブ３１、流路切換部材３３及びシリンジを保持させた状態で、脱着カセット１０を装置ハウジング５０に装着することにより、輸液チューブ３１、流路切換部材３３及びシリンジといった使い捨て部品の装置ハウジング５０へのセッティングを容易に行うことができる。また、放射性薬剤の投与後は、これら使い捨て部品を脱着カセット１０ごと装置ハウジング５０から容易に取り外すことができる。
【００１２】
なお、放射性薬剤６７は、液状のものである。放射性薬剤６７の種類は特に限定されないが、放射性薬剤６７としては、例えば、ＰＥＴ（陽電子断層診断法：Ｐｏｓｉｔｒｏｎ  Ｅｍｉｓｓｉｏｎ  Ｔｏｍｏｇｒａｐｈｙ）検査用の短寿命核種を含む放射性薬剤、例えばＦＤＧ（フッ素１８で標識されたグルコース誘導体：［１８Ｆ］−２−ｄｅｏｘｙ−２−ｆｌｕｏｒｏ−Ｄ−ｇｌｕｃｏｓｅ）、［１８Ｆ］フルテメタモル、［１８Ｆ］フロルベタピル、［１８Ｆ］ｆｌｕｃｉｃｌｏｖｉｎｅ、［１８Ｆ］フロロエチルチロシン（ＦＬＴ）、［１８Ｆ］フルオロミソニダゾール、ＦＤＯＰＡ（フッ素１８で標識された製剤：Ｌ−３，４−ｄｉｈｙｄｒｏｘｙ−６−［１８Ｆ］−ｆｌｕｏｒｏｐｈｅｎｙｌａｌａｎｉｎｅ）、ＦＤＡ（６−［１８Ｆ］−ｆｌｕｏｒｏｄｏｐａｍｉｎｅ）、［１８Ｆ］フッ化ナトリウム等がある。また、放射性薬剤６７は、［１１Ｃ］メチオニン、［１１Ｃ］酢酸、［１１Ｃ］コリン誘導体、［１３Ｎ］アンモニア、９９ｍＴｃ、１２３Ｉ、１３１Ｉ、２０１Ｔｌ、６７Ｇａ、５１Ｃｒ等の放射性同位元素核種からなる治療用および検査用注射液であってもよい。
【００１３】
本実施形態に係る脱着カセット１０は、上述の脱着カセット１０である。すなわち、脱着カセット１０は、放射性薬剤６７が収容された遮蔽容器６６と連通して放射性薬剤６７の投与流路を形成する輸液チューブ３１を保持するチューブ保持部１３と、投与流路に設けられる流路切換部材３３を保持する切換部材保持部１４と、遮蔽容器６６から投与流路を通じて放射性薬剤６７を抜き取りかつ抜き取られた放射性薬剤６７を投与流路を通じて被験者に投与するための１または複数のシリンジ（例えば第２シリンジ３５）を保持するシリンジ保持部（第２シリンジ保持部１５ｂ）と、を有し、放射性薬剤投与装置１００の装置ハウジング５０に対して着脱可能に装着される。
【００１４】
放射性薬剤投与装置１００は、遮蔽容器６６に差し込まれて放射性薬剤６７を通過させる抽出針２６と、抽出針２６を遮蔽容器６６に対して近づく方向及びその反対方向に駆動する針駆動部（第１針駆動部５９ａ）と、を更に備えている。脱着カセット１０は、抽出針２６が着脱可能に装着されて針駆動部により駆動される針ベース（第１針ベース２１ａ）を備えている。
このような構成により、抽出針２６も脱着カセット１０の針ベースに保持させた状態で脱着カセット１０を装置ハウジング５０に装着することにより、装置ハウジング５０への抽出針２６のセッティングも容易に行うことができる。また、放射性薬剤の投与後は、輸液チューブ３１、流路切換部材３３、シリンジ及び抽出針２６といった使い捨て部品を脱着カセット１０ごと装置ハウジング５０から容易に取り外すことができる。よって、各種使い捨て部品のハンドリング性が更に良好になり、オペレータの放射線被曝を軽減することも可能になる。
【００１５】
脱着カセット１０は、シリンジ保持部（第２シリンジ保持部１５ｂ）が設けられた主基板１１と、針ベース（第１針ベース２１ａ）が設けられた副基板１２と、を備え、副基板１２は主基板１１に対して固定されている。主基板１１及び副基板１２は、それぞれ盤状に形成されており、それぞれ鉛直に配置されるようになっている。図３に示すように、主基板１１と副基板１２とは、例えば、板状の連結部材４０を介して相互に連結されている。主基板１１と副基板１２とが互いに平行に配置され、主基板１１及び副基板１２の法線方向において主基板１１が副基板１２よりも前方に配置され、法線方向に視たときに主基板１１と副基板１２とが互いに異なる領域に配置されている。
ここで、主基板１１は、シリンジ（第２シリンジ３５）が装着される側の面である第１主面１１ａと、その反対側の面である第１裏面１１ｂと、を有する。
また、副基板１２は、抽出針２６が装着される側の面である第２主面１２ａと、その反対側の面である第２裏面１２ｂと、を有する。
主基板１１の法線方向は第１主面１１ａの法線方向であり、副基板１２の法線方向は第２主面１２ａの法線方向である。また、第１主面１１ａと第２主面１２ａとは互いに同じ方（前方）を向いている。
なお、主基板１１及び副基板１２の法線方向に視たときに、主基板１１と副基板１２との一部分どうしが重なっていても良い。ただし、副基板１２に設けられたスライド孔２０（第１スライド穴２０ａ、第２スライド穴２０ｂ）及び針ベース２１（第１針ベース２１ａ及び第２針ベース２１ｂ）は、主基板１１と重なっていない。
本実施形態の場合、主基板１１及び副基板１２の法線方向に視たときに、副基板１２が主基板１１の上部の側方（例えば右方）に隣接して配置されており、主基板１１と副基板１２とが重なっていない。
例えば、図３に示すように、平面視において、主基板１１、連結部材４０及び副基板１２は、クランク状に配置されている。
【００１６】
このように、主基板１１が副基板１２よりも前方に位置するため、主基板１１の背面側には、シリンジや流路切換部材３３の駆動機構の設置スペースを確保することができる。また、副基板１２が主基板１１の後方に位置していることによって、副基板１２の前面側（第２主面１２ａ）に設けられた抽出針２６を、副基板１２よりも前側に設置される遮蔽容器６６の上部のゴム栓に対して容易に挿入することができる。
【００１７】
脱着カセット１０は、シリンジ保持部（第２シリンジ保持部１５ｂ）に保持されたシリンジ（第２シリンジ３５）のプランジャ部３７と対応する位置に、プランジャ部３７の移動方向（本実施形態の場合、上下方向）に延在する開口（第２開口１６ｂ）を有している。図８に示すように脱着カセット１０が装置ハウジング５０に装着された状態で、シリンジ駆動部（第２シリンジ駆動部５５ｂ）の少なくとも一部分が、開口（第２開口１６ｂ）を介して、主基板１１においてシリンジ（第２シリンジ３５）が装着される側の面である第１主面１１ａよりも前面側に突出する。
これにより、シリンジ駆動部（第２シリンジ駆動部５５ｂ）をシリンジ（第２シリンジ３５）のプランジャ部３７に対して係合させることができるため、シリンジ駆動部によって、好適に、シリンジ（第２シリンジ３５）のプランジャ部３７を駆動させることができる。
【００１８】
より詳細には、本実施形態の場合、脱着カセット１０は、例えば、第１シリンジ保持部１５ａ及び第２シリンジ保持部１５ｂの２つのシリンジ保持部１５を備えている。これら第１シリンジ保持部１５ａ及び第２シリンジ保持部１５ｂは、例えば、互いに左右に隣り合って配置されている。例えば、第１シリンジ保持部１５ａの左側に第２シリンジ保持部１５ｂが配置されている。
そして、第１シリンジ保持部１５ａに保持された第１シリンジ３４のプランジャ部３７と対応する位置に、プランジャ部３７の移動方向（本実施形態の場合、上下方向）に延在する開口（第１開口１６ａ）を有している。図８に示すように脱着カセット１０が装置ハウジング５０に装着された状態で、第１シリンジ駆動部５５ａの少なくとも一部分が、第２開口１６ｂを介して、主基板１１において第１シリンジ３４が装着される側の面である第１主面１１ａよりも前面側に突出する。
これにより、第１シリンジ駆動部５５ａを第１シリンジ３４のプランジャ部３７に対して係合させることができるため、第１シリンジ駆動部５５ａによって、好適に、第１シリンジ３４のプランジャ部３７を駆動させることができる。
【００１９】
このように、脱着カセット１０は、第１シリンジ保持部１５ａと対応する第１開口１６ａと、第２シリンジ保持部１５ｂと対応する第２開口１６ｂと、の２つの開口１６を有している。また、各シリンジ保持部１５の上側に、それぞれ対応する開口１６が配置されている。
【００２０】
図６に示すように、装置ハウジング５０は、第１開口１６ａと対応する第１シリンジ駆動部５５ａと、第２開口１６ｂと対応する第２シリンジ駆動部５５ｂと、の２つのシリンジ駆動部５５を有している。
各シリンジ駆動部５５は、図示しないモータ又はシリンダ等のアクチュエータを駆動源として上下動可能となっている。
装置ハウジング５０の主基板取付ベース部５１には、各シリンジ駆動部５５の上下動をガイドするガイド孔５６が、上下に延在して形成されている。
【００２１】
各シリンジ（第１シリンジ３４及び第２シリンジ３５）は、薬剤を貯留するシリンジ本体３６と、シリンジ本体３６と連結されていて該シリンジ本体３６に対して押し込み可能なプランジャ部３７と、を備えて構成されている。各シリンジのシリンジ本体３６が各シリンジ保持部１５によって保持されるようになっている。
【００２２】
また、図１等に示すように、本実施形態の場合、脱着カセット１０は、例えば、第１針ベース２１ａと第２針ベース２１ｂとの２つの針ベース２１を備えている。
これら針ベース２１は、副基板１２に設けられている。
各針ベース２１は、副基板１２に形成された直線状のスライド孔２０に沿って移動可能となっている。すなわち、第１針ベース２１ａは第１スライド穴２０ａに沿って移動可能となっており、第２針ベース２１ｂは第２スライド穴２０ｂに沿って移動可能となっている。
例えば、第１スライド穴２０ａと第２スライド穴２０ｂとは互いに左右に隣り合って配置されている。例えば、第１スライド穴２０ａの左側に第２スライド穴２０ｂが配置されている。
第１スライド穴２０ａは上下に延在している。また、第２スライド穴２０ｂは、下方に向けて第１スライド穴２０ａに近づく方向に傾斜している。
図４等に示すように、例えば、第１針ベース２１ａには抽出針２６が着脱可能に装着され、第２針ベース２１ｂにはエア送出針３０が着脱可能に装着される。
【００２３】
ここで、図５（ａ）及び図５（ｂ）に示すように、第１針ベース２１ａは、抽出針２６を着脱可能に保持するクランプ機構を備えている。このクランプ機構は、抽出針２６をクランプする第１クランプ部２４と、第１クランプ部２４を開閉する操作を行うための開閉レバー２５と、抽出針２６の位置決め用リブに係合する第２クランプ部２８と、を備えて構成されている。抽出針２６は、例えば、第１クランプ部２４によってクランプされる被保持部２７と、被保持部２７に設けられている位置決め用溝２７ａと、被保持部２７から突出している針部２９と、を備えている。被保持部２７は、例えば、円筒状に形成されている。位置決め用溝２７ａは、被保持部２７の外周面に周回状に形成された上下一対のリブに挟まれた凹所であり、例えば、被保持部２７において第１クランプ部２４によりクランプされる部位の下側に配置されている。抽出針２６の針部２９は、被保持部２７から下方に突出している。
第１クランプ部２４は、左右一対のクランプ部材を備えている。図５（ａ）に示すように開閉レバー２５を下げた状態では、第１クランプ部２４の一対のクランプ部材どうしが離間して（開状態となって）、これらクランプ部材どうしの間に被保持部２７を配置したり、クランプ部材どうしの間から被保持部２７を取り出したりできるようになる。図５（ｂ）に示すように開閉レバー２５を上げた状態では、第１クランプ部２４の一対のクランプ部材どうしが近接し（閉状態となって）、一対のクランプ部材によって被保持部２７を挟持できる。
また、第２クランプ部２８は、前方に向けて突出する二股形状に形成されている。抽出針２６をクランプ機構に対して位置合わせして後方に押し込むことによって、第２クランプ部２８が位置決め用溝２７ａに対して係合し（位置決め用溝２７ａの上下一対のリブ間に差し込まれ）、抽出針２６の向き（針部２９の向き）が位置決めされるようになっている。
【００２４】
ここで、遮蔽容器６６及び遮蔽容器６６内のバイアル瓶７４は、傾斜した状態で容器配置部６４に設置される（図７、図８参照）。また、図７及び図８に示すように、脱着カセット１０を装置ハウジング５０に取り付け、かつ、遮蔽容器６６を容器配置部６４に設置した際に、針部２９の先端の針穴が、バイアル瓶７４内の底部において、最も低位に位置する部分の方向を向くように、クランプ機構によって抽出針２６が位置決めされるようになってる。そして、図１３に示すように、バイアル瓶７４から抽出される放射性薬剤６７を通過させる抽出針２６の針部２９が、遮蔽容器６６内のバイアル瓶７４内に差し込まれた状態では、針部２９の針先が、バイアル瓶７４内の底部において、最も低位に位置する部分に配置されるようになっている。
このため、バイアル瓶７４に収容された放射性薬剤の実質的に全量を、抽出針２６を介して抽出し、被験者に投与することが可能になる。
【００２５】
なお、第２針ベース２１ｂは、第１クランプ部２４と同様のクランプ部を備えており、エア送出針３０を着脱可能に保持できるようになっている。エア送出針３０は、エアを送出できればよく、エア送出針３０の多少の位置ずれは許容されるため、エア送出針３０を保持する第２針ベース２１ｂには第１針ベース２１ａと同様のクランプ機構までは要求されない。ただし、第２針ベース２１ｂも、第１針ベース２１ａと同様のクランプ機構を備え、該クランプ機構によってエア送出針３０を着脱可能に保持できるようになっていてもよい。
【００２６】
図６に示すように、装置ハウジング５０の副基板取付ベース部５２には、抽出針２６を遮蔽容器６６に対して近づく方向及びその反対方向に駆動する第１針駆動部５９ａと、エア送出針３０を遮蔽容器６６に対して近づく方向及びその反対方向に駆動する第２針駆動部５９ｂと、の２つの針駆動部５９が設けられている。
更に、副基板取付ベース部５２には、第１針駆動部５９ａをガイドする第１スライド孔６０ａと、第２針駆動部５９ｂをガイドする第２スライド孔６０ｂと、の２つのスライド孔６０が形成されている。
各針駆動部５９は、図示しないモータ又はシリンダ等のアクチュエータを駆動源として、各スライド孔６０に沿って移動可能となっている。
【００２７】
図１１（ａ）に示すように、各針ベース２１（第１針ベース２１ａ及び第２針ベース２１ｂ）は、背面側に向けて開口している差込穴７１を有している。
一方、図１１（ｂ）に示すように、各針駆動部５９は、前方に向けて突出している差込突起６１を有している。
脱着カセット１０が装置ハウジング５０に対して装着されることにより、各針駆動部５９の差込突起６１が、それぞれ対応する針ベース２１の差込穴７１に差し込まれる。これにより、各針駆動部と各針ベース２１とが機械的に連結され、各針駆動部５９の移動に連動して各針ベース２１が移動する状態となる。
【００２８】
また、副基板１２の第２裏面１２ｂには、接続穴２３が設けられている。一方、副基板取付ベース部５２において接続穴２３と対応する部位には、リリースボタン６３が設けられている。脱着カセット１０が装置ハウジング５０に対して装着された際には、リリースボタン６３が接続穴２３に嵌入することによって、脱着カセット１０を装置ハウジング５０に対して脱着可能な嵌入位置では図示しない針ベース固定（ロック）構造により固定されていた針ベース２１のロックが解除され、針ベース２１が動作可能な状態になる。ここで、嵌入位置とは、装置を立ち上げてイニシャライズした後の原点移動終了位置または、投与操作完了後、終了操作が終了した際の装置各部の位置である。
【００２９】
図４に示すように、第１針ベース２１ａに装着される抽出針２６は、第１輸液チューブ３１ａを介して、第１シリンジ保持部１５ａの下方の切換部材保持部１４に対して接続される。
この第１輸液チューブ３１ａは、主基板１１の第１主面１１ａにおける副基板１２側の縁辺の前方を通って、第１主面１１ａの前面側と第２主面１２ａの前面側とに亘って延びる（図４、図１３参照）。
ここで、図３に示すように、主基板１１の第２主面１２ａにおける副基板１２側の縁辺と、第１針ベース２１ａとの間に仮想平面Ｐ１を架設したときに、当該仮想平面Ｐ１が第２針ベース２１ｂの前方に位置するようになっている。
したがって、第１輸液チューブ３１ａが第２針ベース２１ｂと干渉することを抑制できるようになっている。
【００３０】
このように、第２主面１２ａには、第１針ベース２１ａと、主基板１１及び副基板１２の法線方向に視たときに第１針ベース２１ａよりも主基板１１の近くの位置に配置されている第２針ベース２１ｂと、が設けられており、上記法線方向に視たときの第１主面１１ａにおける副基板１２側の縁辺と、第１針ベース２１ａと、に仮想平面Ｐ１を架け渡したときに、当該仮想平面Ｐ１が第２針ベース２１ｂの前方に位置するようになっている。
【００３１】
また、第１針ベース２１ａに抽出針２６が保持され、第２針ベース２１ｂにエア送出針３０が保持された状態で、第１針ベース２１ａと第２針ベース２１ｂとがそれぞれ遮蔽容器６６側に移動したときに、抽出針２６の針部２９の先端部（下端部）とエア送出針３０の針部２９の先端部（下端部）とが、前後方向において互いに隣接し、且つ、正面視において交差するようになっている。
第１針ベース２１ａと第２針ベース２１ｂとがそれぞれ遮蔽容器６６側に移動したときに、抽出針２６及びエア送出針３０の各々の針部２９の先端（下端）が、遮蔽容器６６に格納されたバイアル瓶７４の上部のゴム栓から遮蔽容器６６内に挿入されるようになっている。そして、抽出針２６及びエア送出針３０の針部２９の先端がバイアル瓶７４に挿入された状態で、抽出針２６の針部２９の先端（下端）はバイアル瓶７４内の放射性薬剤６７の液面よりも下に位置し、エア送出針３０の針部２９の先端（下端）はバイアル瓶７４内の放射性薬剤６７の液面よりも上に位置するようになっている（図１３）。より詳細には、針部２９の先端が、バイアル瓶７４内の底部において、最も低位に位置する部分に配置されるようになっている。
【００３２】
また、主基板１１の第１主面１１ａには、一対の取手部１７が設けられている。そして、一対の取手部１７が、開口（第２開口１６ｂ）を間に挟む両側にそれぞれ配置されている。
よって、シリンジ駆動部（第２シリンジ駆動部５５ｂ）を開口（第２開口１６ｂ）に対して位置合わせしながら脱着カセット１０を装置ハウジング５０に対して装着する作業を容易に行うことができる。
【００３３】
より詳細には、一対の取手部１７が、例えば、２つの開口１６（第１開口１６ａ及び第２開口１６ｂ）を間に挟んで、左側と右側とにそれぞれ配置されている。このため、各シリンジ駆動部５５（第１シリンジ駆動部５５ａ及び第２シリンジ駆動部５５ｂ）を各開口１６（第１開口１６ａ及び第２開口１６ｂ）に対して位置合わせしながら脱着カセット１０を装置ハウジング５０に対して装着する作業、及び、脱着カセット１０を装置ハウジング５０から取り外す作業を容易に行うことができる。
【００３４】
図１２に示すように、一対の取手部１７の各々は、例えば、当該取手部１７の上端部と下端部とに前後に延びる脚部をそれぞれ有していて、これら脚部どうしの間の部分が上下に延在するアーチ状に形成されている。各取手部１７と第１主面１１ａとの間にはオペレータの手を差し入れ可能な差し入れ孔１７ａが形成されている。
【００３５】
取手部１７は、主基板１１と異なる材料で構成されており、かつ主基板１１から取り外し可能となっている。例えば、取手部１７は金属製であり、主基板１１は樹脂製である。
取手部１７を主基板１１から取り外し可能であるため、取手部１７を主基板１１から取り外して分別廃棄することができる。
【００３６】
ここで、主基板１１の正面形状は特に限定されないが、例えば、矩形状（より詳細には、例えば正方形状）となっている。副基板１２の正面形状は特に限定されないが、例えば、矩形状となっている。
【００３７】
脱着カセット１０は、装置ハウジング５０の前面側に装着されるようになっている。
図６に示すように、装置ハウジング５０の前面側には、主基板１１が装着される主基板取付ベース部５１と、副基板１２が装着される副基板取付ベース部５２と、が形成されている。
【００３８】
図１等に示すように、主基板１１の周縁部には、複数の取付孔１９が形成されている。例えば、脱着カセット１０には、４つの取付孔１９が形成されており、これら取付孔１９は主基板１１の４隅にそれぞれ配置されている。取付孔１９は、例えば、主基板１１を前後に貫通している。図９（ａ）に示すように、取付孔１９の内周面の上部には、例えば、左右に延在する係止部材１９ａが設けられている。係止部材１９ａは、脱着カセット１０に内蔵されている図示しないスプリングによって常に取付孔１９の中心方向（つまり下方）に付勢されている。係止部材１９ａは、円筒形状に形成されているとともに当該円筒形状の軸を中心に自由に回転可能に設けられている。係止部材１９ａの回転軸は左右に延在している。
図６に示すように、主基板取付ベース部５１において、脱着カセット１０の各取付孔１９と対応する位置には、前方に向けて突出した取付突起５３が設けられている。図９（ｂ）に示すように、各取付突起５３の外周面には、係止溝５３ａが周回状に形成されている。なお、係止溝５３ａは、取付突起５３の上部にのみ形成されていても良い。
【００３９】
脱着カセット１０を装置ハウジング５０に対して装着する際には、オペレータが一対の取手部１７を把持して脱着カセット１０を略鉛直に起立させた状態で、脱着カセット１０の各取付孔１９に対して装置ハウジング５０の各取付突起５３が挿入されるようにして、脱着カセット１０を装置ハウジング５０側に押し込む。このとき、係止部材１９ａは、取付突起５３に押されて上記スプリングの付勢に抗して取付孔１９の中心方向とは反対方向（上方）に移動した後、上記スプリングの付勢に従って取付孔１９の中心方向に移動し、取付突起５３の外周面に形成されている係止溝５３ａに嵌入する。これにより、脱着カセット１０が装置ハウジング５０に対し前方に脱落することが抑制される。また、上記のように、係止部材１９ａは、円筒形状に形成されているとともに、左右に延在する回転軸を中心として回転可能であるため、当該係止部材１９ａが取付突起５３の外周面に形成されている係止溝５３ａに嵌入する際の摩擦が軽減されて発塵が抑制される。
このように、脱着カセット１０を装置ハウジング５０側に押し込むだけで、容易に脱着カセット１０を装置ハウジング５０に装着することができる。
なお、脱着カセット１０を装置ハウジング５０から取り外す際には、脱着カセット１０を手前に引っ張ることにより、各係止部材１９ａが再度取付突起５３に押され取付孔１９の中心方向とは反対方向に移動した後、取付突起５３が取付孔１９より抜け、脱着カセット１０を容易に装置ハウジング５０から取り外すことができる。
【００４０】
なお、本発明は、この例に限らず、図１２に示すように取手部１７にレバー１７ｂを設け、このレバー１７ｂを前方に牽引することによって、図示しない係止構造が係止解除状態となって脱着カセット１０を装置ハウジング５０に対して押し込んで装着できるようになっていてもよい。この場合、脱着カセット１０を装置ハウジング５０に対して押し込んだ状態で、レバー１７ｂの牽引を解除することによって、脱着カセット１０と装置ハウジング５０とが図示しない係止構造により相互に係止される。また、脱着カセット１０を装置ハウジング５０から取り外す際には、レバー１７ｂを前方に牽引することによって図示しない係止構造を係止解除状態にして、脱着カセット１０を手前側に引っ張る。
【００４１】
取手部１７が上述のレバー１７ｂを備える場合、主基板１１の上側と下側の縁辺部には、装置ハウジング５０の位置決め用リブ５４ａとそれぞれ嵌合する位置決め用凹部３８ａが左右に延在して形成されていてもよい。また、副基板１２の右側の縁辺部には、装置ハウジング５０の後述する位置決め用リブ５４ｂと嵌合する位置決め用凹部３８ｂが上下に延在して形成されていてもよい。
一方、主基板取付ベース部５１の上端部と下端部には、それぞれ左右に延在する位置決め用リブ５４ａが設けられていてもよい。また、副基板取付ベース部５２の右縁には、上下に延在する位置決め用リブ５４ｂが形成されていてもよい。
放射性薬剤投与装置１００が位置決め用リブ５４ａ、５４ｂと位置決め用凹部３８ａ、３８ｂとを備える場合、脱着カセット１０を装置ハウジング５０に装着した状態では、各位置決め用リブ５４ａが各位置決め用凹部３８ａに対して嵌合するとともに、位置決め用リブ５４ｂが位置決め用凹部３８ｂに対して嵌合することによって、脱着カセット１０が装置ハウジング５０に対して所定の位置に位置決めされる。
上述のように脱着カセット１０の複数の取付孔１９と装置ハウジング５０の複数の取付突起５３とが嵌合することによって脱着カセット１０が装置ハウジング５０に対して位置決めされる場合は、装置ハウジング５０は位置決め用リブ５４ａ、５４ｂを備える必要が無く、脱着カセット１０は位置決め用凹部３８ａ、３８ｂを備える必要が無い。
【００４２】
ここで、図１等に示すように、脱着カセット１０は、複数のチューブ保持部１３を有しており、各チューブ保持部１３は、主基板１１の第１主面１１ａに設けられている。
これらチューブ保持部１３には、例えば、１本の輸液チューブ３１を保持する第１チューブ保持部１３ａと、２本の輸液チューブ３１を並列に保持する第２チューブ保持部１３ｂと、が含まれている。
本実施形態の場合、例えば、６個の第１チューブ保持部１３ａと、１個の第２チューブ保持部１３ｂとが主基板１１に設けられている。
そして、各チューブ保持部１３によって輸液チューブ３１を保持させることによって、主基板１１に設けられた各種の構成要素と干渉しないように輸液チューブ３１を引き回すことができるようになっている（図４参照）。
【００４３】
また、主基板１１には、複数の切換部材保持部１４が設けられている。本実施形態の場合、例えば、３つの切換部材保持部１４が横並びに配置されている。このうち１つの切換部材保持部１４は、第１シリンジ保持部１５ａの下方に配置されており、他の１つの切換部材保持部１４は、第２シリンジ保持部１５ｂの下方に配置されている。
各切換部材保持部１４は、前面側に開放している保持溝１４ａを有している。図４に示すように、各切換部材保持部１４の保持溝１４ａに対して、前面側から、流路切換部材３３を嵌め込んで、該流路切換部材３３を切換部材保持部１４によって保持させることができるようになっている。
各切換部材保持部１４は、正面視円形の円盤状に形成されており、主基板１１の表裏を貫通した状態で主基板１１に設けられている。各切換部材保持部１４は、主基板１１に対して相対的に回転可能に、主基板１１によって保持されている。
図２及び図１０（ａ）に示すように、各切換部材保持部１４の背面には、非円形の嵌合溝１４ｂが形成されている。嵌合溝１４ｂは、例えば、一方向に長尺な形状（Ｉ字状）に形成されている。
主基板１１の背面側には、各切換部材保持部１４を後方に臨ませる円形の嵌合穴１４ｃが形成されている。
また、主基板１１の第１裏面１１ｂにおける各嵌合穴１４ｃの近傍の部位には、各切換部材保持部１４と対応する接続穴２２が設けられている。
【００４４】
一方、図６及び図１０（ｂ）に示すように、主基板取付ベース部５１の前面側には、各切換部材保持部１４とそれぞれ対応する流路切換機構５７が設けられている。各流路切換機構５７は、嵌合穴１４ｃに嵌入可能な正面視円形の円盤状に形成されている。各流路切換機構５７は、図示しないモータ等のアクチュエータにより回転駆動可能となっている。
各流路切換機構５７の前面には、前方に向けて突出した嵌合リブ５７ａが形成されている。嵌合リブ５７ａは、切換部材保持部１４の背面の嵌合溝１４ｂに対して嵌入可能な形状に形成されている。各流路切換機構５７は、主基板取付ベース部５１から前方に突出している。
また、主基板取付ベース部５１における各流路切換機構５７の近傍の部位には、各接続穴２２と対応するリリースボタン５８が設けられている。
【００４５】
脱着カセット１０が装置ハウジング５０に対して装着された際には、各流路切換機構５７が各嵌合穴１４ｃに嵌入するとともに、各流路切換機構５７の嵌合リブ５７ａが各切換部材保持部１４の嵌合溝１４ｂに嵌入する。これにより、流路切換機構５７と切換部材保持部１４とが機械的に連結され、流路切換機構５７が回転するのに連動して、切換部材保持部１４と、切換部材保持部１４によって保持されている流路切換部材３３と、が回転するようになる。なお、本実施形態では、流路切換機構５７側に嵌合リブが形成され、切換部材保持部１４側に嵌合溝が形成されている例を説明するが、本発明は、この例に限らず、流路切換機構５７側に嵌合溝が形成され、切換部材保持部１４側に嵌合リブが形成されていてもよい。
また、脱着カセット１０が装置ハウジング５０に対して装着された際には、各リリースボタン５８がそれぞれ対応する接続穴２２に嵌入することによって、上記の嵌入位置では図示しない固定（ロック）構造により固定（ロック）されていた切換部材保持部１４のロックが解除され、切換部材保持部１４が動作可能な状態になる。
【００４６】
脱着カセット１０は、更に、投与流路に設けられるエアベンテッドフィルタ３２（ろ過滅菌の機能を備えたフィルター）（図４）を保持するフィルタ保持部１８を第１主面１１ａに備えている。
【００４７】
ここで、第１シリンジ３４は、例えば、投与流路に残留する放射性薬剤６７を押し流すための生理食塩水を貯留するものである。
また、第２シリンジ３５は、例えば、遮蔽容器６６から抜き取られた放射性薬剤６７を貯留するものである。
【００４８】
第２シリンジ３５に放射性薬剤６７が貯留された状態では、第２シリンジ３５において局所的に放射線量が高くなるため、第２シリンジ３５を遮蔽することが望まれる。
そこで、本実施形態に係る放射性薬剤投与装置１００の装置ハウジング５０は、当該装置ハウジング５０に脱着カセット１０が装着された状態で、第２シリンジ３５の前方、左右両側方、上方及び下方を覆うことが可能なシリンジ遮蔽カバー６８を備えている（図６、図７、図８等）。
図１２に示すように、このシリンジ遮蔽カバー６８の下端部は、軸支部６９によって軸支されている。軸支部６９の回転軸方向は、水平方向且つ左右方向となっている。図６の状態では、シリンジ遮蔽カバー６８は、前方に向けて延びている（図１２に二点鎖線で示す状態となっている）。
脱着カセット１０を装置ハウジング５０に装着した後、シリンジ遮蔽カバー６８を図１２に示す矢印の向きに軸支部６９に対して回転させることにより、シリンジ遮蔽カバー６８によって第２シリンジ３５を覆うことができるようになっている（図７及び図８に示す状態、及び、図１２に実線で示す状態）。
なお、シリンジ遮蔽カバー６８は、鉛等の放射線遮蔽性の材料により構成されているため、シリンジ遮蔽カバー６８の大重量のものとなる。このため、シリンジ遮蔽カバー６８を軽い力で回転できるように、装置ハウジング５０は、シリンジ遮蔽カバー６８を図１２に示す矢印の方向に付勢する図示しないスプリング等のアシスト機構を備えていることが好ましい。
このように、装置ハウジング５０は、脱着カセット１０に装着される複数のシリンジのうちいずれかを選択的に遮蔽することが可能なシリンジ遮蔽カバー６８を備えている。
【００４９】
図６等に示すように、容器配置部６４は、副基板取付ベース部５２の下方に配置されている。装置ハウジング５０は、容器配置部６４の上方に配置されたＲＩ検出器６５を備えている。
装置ハウジング５０は、容器配置部６４を支持していて、装置ハウジング５０の本体部５０ａから側方（例えば右方）に引き出し可能な引出ユニット７３を備えている。
なお、本体部５０ａは、主基板取付ベース部５１と副基板取付ベース部５２とを含んで構成されている。上述した装置ハウジング５０の各構成のうち、容器配置部６４を除く構成は、引出ユニット７３ではなく本体部５０ａに設けられている。
引出ユニット７３を側方に引き出した状態では、容器配置部６４の上方にＲＩ検出器６５が存在しなくなるため、容器配置部６４に対し、上方から、遮蔽容器６６を設置できる状態となる。
【００５０】
次に、図１４（ａ）及び図１４（ｂ）を用いて、使用後の脱着カセット１０が第２シリンジ３５及び流路切換部材３３等の各種の使い捨て部品とともに投入されるシールド容器８０について説明する。
シールド容器８０は、脱着カセット１０を収容する容器本体８１と、開閉蓋８２と、持ち運び用の取手部８３と、鉛等の放射線遮蔽性の金属材料により構成されているシールド金属材８４と、を備えて構成されている。
容器本体８１は、例えば、直方体形状に形成されており、上端が開口している。
シールド容器８０は、例えば、一対の開閉蓋８２を備えている。開閉蓋８２は、例えば、ヒンジ機構を介して、容器本体８１の上端の開口の縁部に対して連結されており、容器本体８１の上端の開口を開閉可能となっている。
シールド金属材８４は、例えば、板状に形成されており、シールド容器８０の所定の部位（後述）に配置されている。
容器本体８１の上端の開口から、各種の使い捨て部品が取り付けられたままの使用済みの脱着カセット１０を、容器本体８１内に挿入できるようになっている。容器本体８１内に脱着カセット１０が挿入された状態で、一対の開閉蓋８２を閉じることにより、脱着カセット１０に装着された使い捨て部品の内部に残留する放射性薬剤６７からの放射線が、シールド容器８０の外部に漏洩することを抑制できる。
なお、脱着カセット１０に装着された使い捨て部品の内部に残留する放射性薬剤６７からの放射線量が低減した後は、開閉蓋８２を開き、容器本体８１から脱着カセット１０を上方に取り出すことができる。
【００５１】
ここで、本願発明者等の検討によれば、脱着カセット１０に取り付けられる各種使い捨て部品のうち、特に、第２シリンジ３５、流路切換部材３３及びエアベンテッドフィルタ３２には、他の部品と比べて放射線薬剤の残量が多くなる。
そこで、本実施形態の場合、シールド容器８０は、以下に説明するような構造となっている。
すなわち、容器本体８１に対する脱着カセット１０の向きを所定の向きにしたときにのみ、脱着カセット１０を容器本体８１に収容できるように、容器本体８１の内部の形状が設定されている。そして、シールド容器８０において、当該容器本体８１に脱着カセット１０が収容された状態で第２シリンジ３５、流路切換部材３３及びエアベンテッドフィルタ３２と対応する部位には、シールド金属材８４が設けられている。より詳細には、例えば、これらの部位の前面側及び背面側にそれぞれシールド金属材８４が配置されているとともに、容器本体８１の両方の側面にもシールド金属材８４が配置されており、一対の開閉蓋８２のうち一方の開閉蓋８２にもシールド金属材８４が設けられている。
これにより、シールド容器８０からの漏洩放射線を抑制できるとともに、シールド容器８０の重量（質量）を軽減し持ち運びを容易にしている。
【００５２】
なお、脱着カセット１０は、例えば、シールド容器８０とのセット（キット）の形態で、投与現場への搬送等が可能となっていてもよい。
すなわち、本実施形態に係る脱着カセットキットは、上述した脱着カセット１０と、放射線遮蔽性の材料を含んで構成されていて脱着カセット１０を出し入れ可能に収容するシールド容器８０と、を備えて構成されている。
【００５３】
次に、脱着カセット１０を装置ハウジング５０に装着する作業の一例を説明する。
装置ハウジング５０に対する脱着カセット１０の装着は、例えば、以下に説明する部品を脱着カセット１０に搭載した状態で行う。
すなわち、例えば、図４に示すように、第１シリンジ保持部１５ａに第１シリンジ３４を保持させ、第２シリンジ保持部１５ｂに第２シリンジ３５を保持させ、各切換部材保持部１４に流路切換部材３３を保持させる。更に、フィルタ保持部１８にエアベンテッドフィルタ３２を保持させ、第１針ベース２１ａに抽出針２６を保持させ、第２針ベース２１ｂにエア送出針３０を保持させる。更に、チューブ保持部１３に第１輸液チューブ３１ａ、第２輸液チューブ３１ｂ、第３輸液チューブ３１ｃ及び第４輸液チューブ３１ｄの４本の輸液チューブ３１を保持させる。
この状態で、脱着カセット１０を装置ハウジング５０に装着する。
なお、第２輸液チューブ３１ｂは、３つの切換部材保持部１４のうち最も左側の切換部材保持部１４とエアベンテッドフィルタ３２の上端とを接続するものである。
第３輸液チューブ３１ｃは、エアベンテッドフィルタ３２の下端と被験者とを接続するものである。
第４輸液チューブ３１ｄは、３つの切換部材保持部１４のうち最も左側の切換部材保持部１４と図示しない生理食塩水貯留バッグとを接続するものである。
【００５４】
例えば、被験者への放射性薬剤６７の投与が行われる投与現場への脱着カセット１０の搬送は、脱着カセット１０に各使い捨て部品、すなわち第１シリンジ３４、第２シリンジ３５、各流路切換部材３３、エアベンテッドフィルタ３２、抽出針２６、エア送出針３０、及び各輸液チューブ３１が装着されていない状態で行う。
そして、脱着カセット１０に対する各使い捨て部品（第１シリンジ３４、第２シリンジ３５、各流路切換部材３３、エアベンテッドフィルタ３２、抽出針２６、エア送出針３０、及び各輸液チューブ３１）の装着は、例えば、投与現場にて行うことができる。
【００５５】
脱着カセット１０の各取付孔１９に装置ハウジング５０の各取付突起５３が挿入されるようにして脱着カセット１０を装置ハウジング５０に装着すると、各切換部材保持部１４の後方の嵌合穴１４ｃに対して各流路切換機構５７が嵌入し、各切換部材保持部１４の背面の嵌合溝１４ｂに各流路切換機構５７の嵌合リブ５７ａが嵌入し、各リリースボタン５８が各接続穴２２に嵌入する。
また、各針駆動部５９の各差込突起６１が各針ベース２１の各差込穴７１に差し込まれ、リリースボタン６３が接続穴２３に嵌入する。
また、各シリンジ駆動部５５（第１シリンジ駆動部５５ａ及び第２シリンジ駆動部５５ｂ）の一部分が、各開口１６（第１開口１６ａ及び第２開口１６ｂ）を介して前方に突出し、第１シリンジ３４のプランジャ部３７及び第２シリンジ３５のプランジャ部３７とそれぞれ連結される。
【００５６】
ここで、装置ハウジング５０は、脱着カセット１０を装置ハウジング５０に装着するに際して、各流路切換機構５７の回転角度、各スライド孔６０における針駆動部５９の位置、及び、各ガイド孔５６における各シリンジ駆動部５５の位置を所定の初期位置に設定するための機能を有している。
これにより、脱着カセット１０を装置ハウジング５０に対して押し込んで装着することによって、各切換部材保持部１４の背面の嵌合溝１４ｂに各流路切換機構５７の嵌合リブ５７ａが嵌入し、各針駆動部５９の各差込突起６１が各針ベース２１の各差込穴７１に差し込まれ、各シリンジ駆動部５５が第１シリンジ３４のプランジャ部３７及び第２シリンジ３５のプランジャ部３７とそれぞれ係合し連結されるようになっている。
【００５７】
脱着カセット１０を装置ハウジング５０に装着した後、シリンジ遮蔽カバー６８によって第２シリンジ３５を覆う（図１２）。
また、容器配置部６４に遮蔽容器６６を設置する。なお、遮蔽容器６６には、例えば、被験者に対する１回分の投与量に相当する量の放射性薬剤６７が収容されていることが好ましい。
また、各針駆動部５９により各針ベース２１を遮蔽容器６６に近づく方向に駆動させて、抽出針２６及びエア送出針３０の針部２９の先端部を遮蔽容器６６内に挿入する（図１３）。
エア送出針３０を介して遮蔽容器６６内にエアを供給することによって、遮蔽容器６６内の放射性薬剤６７を第２シリンジ３５により容易に吸引することができるようになっている。
また、第３輸液チューブ３１ｃの先端側に設けられた投与針を被験者に接続する。
【００５８】
このような構成の放射性薬剤投与装置１００によれば、以下に列挙する動作が可能となる。
いずれかの流路切換機構５７を駆動させて対応する切換部材保持部１４及び流路切換部材３３を回転させることによって流路を切り換えて第１シリンジ３４と図示しない生理食塩水貯留バッグとを繋ぐ投与流路を連通させた状態で、第１シリンジ駆動部５５ａを上方に移動させることで、生理食塩水貯留バッグから第４輸液チューブ３１ｄ等を介して第１シリンジ３４に生理食塩水を吸引し、該第１シリンジ３４に生理食塩水を貯留させる動作。
いずれかの流路切換機構５７を駆動させて対応する切換部材保持部１４及び流路切換部材３３を回転させることによって流路を切り換えて第２シリンジ３５と遮蔽容器６６とを繋ぐ投与流路を連通させた状態で、第２シリンジ駆動部５５ｂを上方に移動させることで、遮蔽容器６６から抽出針２６及び第１輸液チューブ３１ａ等を介して第２シリンジ３５に放射性薬剤６７を吸引し、該第２シリンジ３５に放射性薬剤６７を貯留させる動作。なお、この動作によって、例えば、遮蔽容器６６に収容されている放射性薬剤６７の実質的に全量を第２シリンジ３５に貯留させることが好ましい。
いずれかの流路切換機構５７を駆動させて対応する切換部材保持部１４及び流路切換部材３３を回転させることによって流路を切り換えて第２シリンジ３５と被験者とを繋ぐ投与流路を連通させた状態で、第２シリンジ駆動部５５ｂを下方に移動させることで、第２シリンジ３５内の放射性薬剤６７を第２輸液チューブ３１ｂ及び第３輸液チューブ３１ｃ等を介して被験者に投与する動作。
いずれかの流路切換機構５７を駆動させて対応する切換部材保持部１４及び流路切換部材３３を回転させることによって流路を切り換えて第１シリンジ３４と被験者とを繋ぐ投与流路を連通させた状態で、第１シリンジ駆動部５５ａを下方に移動させることで、投与流路に残留する放射性薬剤６７を第１シリンジ３４内の生理食塩水で押し流して、該放射性薬剤６７を被験者に投与する動作。
【００５９】
所定の投与動作の終了後は、脱着カセット１０を装置ハウジング５０から取り外す。
すなわち、各針駆動部５９により各針ベース２１を遮蔽容器６６から遠ざかる方向に駆動させて、抽出針２６及びエア送出針３０の針部２９の先端部を遮蔽容器６６から抜く。
また、シリンジ遮蔽カバー６８を回転させ、シリンジ遮蔽カバー６８によって第２シリンジ３５が遮蔽されていない状態にする。
また、第３輸液チューブ３１ｃの先端側の投与針を被験者から取り外す。
その後、脱着カセット１０を手前側に引っ張ることによって、脱着カセット１０を装置ハウジング５０から取り外す。
その後、速やかに、脱着カセット１０を図１４（ａ）及び図１４（ｂ）に示すシールド容器８０に投入し、シールド容器８０の開閉蓋８２を閉じ、脱着カセット１０に搭載された各部品（第２シリンジ３５や投与流路）に残留する放射性物質からの放射線量を減衰させる。
この放射線量が十分に減衰したら、脱着カセット１０をシールド容器８０から取り出して、使い捨てにする各部品を脱着カセット１０から取り外す。
なお、エアベンテッドフィルタ３２、各輸液チューブ３１、第１シリンジ３４、第２シリンジ３５、各流路切換部材３３、抽出針２６及びエア送出針３０は、使い捨てにすることができる。
一方、脱着カセット１０におけるそれ以外の構成、すなわち主基板１１、副基板１２、取手部１７、各針ベース２１、フィルタ保持部１８、各チューブ保持部１３、各切換部材保持部１４、各シリンジ保持部１５等は、繰り返し使用することができる。
【００６０】
以上のような実施形態によれば、放射性薬剤投与装置１００は、放射性薬剤６７が収容された遮蔽容器６６が配置される容器配置部６４と、遮蔽容器６６と連通して放射性薬剤６７の投与流路を形成する輸液チューブ３１と、投与流路に設けられる流路切換部材３３と、遮蔽容器６６から投与流路を通じて放射性薬剤６７を抜き取りかつ抜き取られた放射性薬剤６７を投与流路を通じて被験者に投与するための１または複数のシリンジ（例えば、第２シリンジ３５）と、シリンジのプランジャ部３７を駆動するシリンジ駆動部５５と、容器配置部６４およびシリンジ駆動部５５が設けられた装置ハウジング５０と、輸液チューブ３１を保持するチューブ保持部１３、流路切換部材３３を保持する切換部材保持部１４、およびシリンジを保持するシリンジ保持部（第２シリンジ保持部１５ｂ）を有する脱着カセット１０と、を備え、脱着カセット１０が装置ハウジング５０に対して着脱可能に装着される。
このような放射性薬剤投与装置１００によれば、脱着カセット１０によって輸液チューブ３１、流路切換部材３３及びシリンジを保持させた状態で、脱着カセット１０を装置ハウジング５０に装着することにより、輸液チューブ３１、流路切換部材３３及びシリンジといった使い捨て部品の装置ハウジング５０へのセッティングを容易に行うことができる。また、放射性薬剤の投与後は、これら使い捨て部品を脱着カセット１０ごと装置ハウジング５０から容易に取り外すことができる。
また、装置ハウジング５０に対する各種使い捨て部品のセッティングをスムーズに行うことができるため、オペレータ（つまり医療従事者）が遮蔽容器６６の近くに滞在する時間を短縮でき、オペレータの被爆量を低減することができる。
【００６１】
以上、図面を参照して実施形態を説明したが、これらは本発明の例示であり、上記以外の様々な構成を採用することもできる。
【００６２】
例えば、上記においては、放射性薬剤投与装置１００が備える抽出針が抽出針２６の１つだけであり、遮蔽容器６６から第２シリンジ３５に放射性薬剤６７を供給する投与流路の系統が１系統（第１輸液チューブ３１ａのみ）である例を説明した。
ただし、本発明は、この例に限らず、放射性薬剤投与装置１００は、遮蔽容器６６と、抽出針と、抽出針と第２シリンジ３５とを接続する輸液チューブと、を含んで構成される投与流路を複数系統備えていて、複数系統の投与流路を選択的に切り換えて用いることができるようになっていてもよい。
また、第２シリンジ３５についても、各系統毎に設けられていてもよい。
放射性薬剤投与装置１００は、例えば、２系統の投与流路を備え、そのうち一方の系統の遮蔽容器６６には上記のように１回分の投与量に相当する量の放射性薬剤６７が収容され、他方の系統の遮蔽容器６６には複数回分の投与量に相当する量の放射性薬剤６７が収容されていて、当該他方の系統の遮蔽容器６６から放射性薬剤６７を分注するようにしてもよい。
【００６３】
本実施形態は以下の技術思想を包含する。
＜１＞放射性薬剤が収容された遮蔽容器が配置される容器配置部と、
前記遮蔽容器と連通して前記放射性薬剤の投与流路を形成する輸液チューブと、
前記投与流路に設けられる流路切換部材と、
前記遮蔽容器から前記投与流路を通じて前記放射性薬剤を抜き取り、かつ抜き取られた前記放射性薬剤を前記投与流路を通じて被験者に投与するための１または複数のシリンジと、
前記シリンジのプランジャ部を駆動するシリンジ駆動部と、
前記容器配置部および前記シリンジ駆動部が設けられた装置ハウジングと、
前記輸液チューブを保持するチューブ保持部、前記流路切換部材を保持する切換部材保持部、および前記シリンジを保持するシリンジ保持部を有する脱着カセットと、
を備え、
前記脱着カセットが前記装置ハウジングに対して着脱可能に装着される放射性薬剤投与装置。
＜２＞前記遮蔽容器に差し込まれて前記放射性薬剤を通過させる抽出針と、
前記抽出針を前記遮蔽容器に対して近づく方向及びその反対方向に駆動する針駆動部と、を更に備え、
前記脱着カセットは、前記抽出針が着脱可能に装着されて前記針駆動部により駆動される針ベースを備える＜１＞に記載の放射性薬剤投与装置。
＜３＞前記脱着カセットは、前記シリンジ保持部が設けられた主基板と、前記針ベースが設けられた副基板と、を備え、前記副基板は前記主基板に対して固定されており、
前記主基板と前記副基板とが互いに平行に配置され、前記主基板及び前記副基板の法線方向において前記主基板が前記副基板よりも前方に配置され、前記法線方向に視たときに前記主基板と前記副基板とが互いに異なる領域に配置されている＜２＞に記載の放射性薬剤投与装置。
＜４＞前記脱着カセットは、前記シリンジ保持部に保持されたシリンジのプランジャ部と対応する位置に、前記プランジャ部の移動方向に延在する開口を有し、
前記脱着カセットが前記装置ハウジングに装着された状態で、前記シリンジ駆動部の少なくとも一部分が、前記開口を介して、前記主基板において前記シリンジが装着される側の面である第１主面よりも前面側に突出する＜３＞に記載の放射性薬剤投与装置。
＜５＞前記主基板の前記第１主面には、一対の取手部が設けられており、前記一対の取手部が、前記開口を間に挟む両側にそれぞれ配置されている＜４＞に記載の放射性薬剤投与装置。
＜６＞前記取手部は、前記主基板と異なる材料で構成されており、かつ前記主基板から取り外し可能である＜５＞に記載の放射性薬剤投与装置。
＜７＞放射性薬剤が収容された遮蔽容器と連通して前記放射性薬剤の投与流路を形成する輸液チューブを保持するチューブ保持部と、
前記投与流路に設けられる流路切換部材を保持する切換部材保持部と、
前記遮蔽容器から前記投与流路を通じて前記放射性薬剤を抜き取り、かつ抜き取られた前記放射性薬剤を前記投与流路を通じて被験者に投与するための１または複数のシリンジを保持するシリンジ保持部と、
を有し、
放射性薬剤投与装置の装置ハウジングに対して着脱可能に装着される脱着カセット。
＜８＞＜７＞に記載の脱着カセットと、放射線遮蔽性の材料を含んで構成されていて前記脱着カセットを出し入れ可能に収容するシールド容器と、を備える着脱カセットキット。
【符号の説明】
【００６４】
１０  脱着カセット
１１  主基板
１１ａ  第１主面
１１ｂ  第１裏面
１２  副基板
１２ａ  第２主面
１２ｂ  第２裏面
１３  チューブ保持部
１３ａ  第１チューブ保持部
１３ｂ  第２チューブ保持部
１４  切換部材保持部
１４ａ  保持溝
１４ｂ  嵌合溝
１４ｃ  嵌合穴
１５  シリンジ保持部
１５ａ  第１シリンジ保持部
１５ｂ  第２シリンジ保持部
１６  開口
１６ａ  第１開口
１６ｂ  第２開口
１７  取手部
１７ａ  差し入れ孔
１７ｂ  レバー
１８  フィルタ保持部
１９  取付孔
１９ａ  係止部材
２０  スライド孔
２０ａ  第１スライド穴
２０ｂ  第２スライド穴
２１  針ベース
２１ａ  第１針ベース
２１ｂ  第２針ベース
２２  接続穴
２３  接続穴
２４  クランプ部
２５  開閉レバー
２６  抽出針
２７  被保持部
２７ａ  位置決め用溝
２８  位置決め用リブ
２９  針部
３０  エア送出針
３１  輸液チューブ
３１ａ  第１輸液チューブ
３１ｂ  第２輸液チューブ
３１ｃ  第３輸液チューブ
３１ｄ  第４輸液チューブ
３２  エアベンテッドフィルタ
３３  流路切換部材
３４  第１シリンジ
３５  第２シリンジ（シリンジ）
３６  シリンジ本体
３７  プランジャ部
３８ａ  位置決め用凹部
３８ｂ  位置決め用凹部
４０  連結部材
５０  装置ハウジング
５０ａ  本体部
５１  主基板取付ベース部
５２  副基板取付ベース部
５３  取付突起
５３ａ  係止溝
５４ａ  位置決め用リブ
５４ｂ  位置決め用リブ
５５  シリンジ駆動部
５５ａ  第１シリンジ駆動部
５５ｂ  第２シリンジ駆動部
５６  ガイド孔
５７  流路切換機構
５７ａ  嵌合リブ
５８  リリースボタン
５９  針駆動部
５９ａ  第１針駆動部
５９ｂ  第２針駆動部
６０  スライド孔
６０ａ  第１スライド孔
６０ｂ  第２スライド孔
６１  差込突起
６３  リリースボタン
６４  容器配置部
６５  ＲＩ検出器
６６  遮蔽容器
６７  放射性薬剤
６８  シリンジ遮蔽カバー
６９  軸支部
７１  差込穴
７２  クランプ部
７３  引出ユニット
７４  バイアル瓶
８０  シールド容器
８１  容器本体
８２  開閉蓋
８３  取手部
８４  シールド金属材
１００  放射性薬剤投与装置
【図１】
2018191703.tif 000003
【図２】
2018191703.tif 000004
【図３】
2018191703.tif 000005
【図４】
2018191703.tif 000006
【図５】
2018191703.tif 000007
【図６】
2018191703.tif 000008
【図７】
2018191703.tif 000009
【図８】
2018191703.tif 000010
【図９】
2018191703.tif 000011
【図１０】
2018191703.tif 000012
【図１１】
2018191703.tif 000013
【図１２】
2018191703.tif 000014
【図１３】
2018191703.tif 000015
【図１４】
2018191703.tif 000016